(57)【要約】【課題】本発明は、表示器が数字表示器等の簡易的なものであっても、画像読取装置に接続されたホストコンピュータ等の情報処理装置内で発生した異常状態の表示や、未設定のファンクションキーである旨の表示を可能とし、読み取り作業を向上させることができる画像読取装置を提供する。【解決手段】画像読取装置２００は、７セグメントＬＥＤ１８０３に表示するジョブ番号を選択させ、選択されたジョブ番号をホストコンピュータ２１４に通知する。そして、画像読取装置２００から通知されたジョブ番号に対応する読み取り設定の有無を判断し、その結果に応じてホストコンピュータ２１４から画像読取装置２００に指示を行い、ホストコンピュータ２１４からの指示に応じて、表示しているジョブ番号の表示状態を点滅させる。【選択図】図９
2009290714.tif 000002
【特許請求の範囲】
【請求項１】
原稿の画像を読み取る画像読取手段と、所定の記号を表示する表示手段とを備える画像読取装置と、前記画像読取装置を制御する制御手段を備える情報処理装置とを含んで構成される画像読取システムにおいて、
前記画像読取装置は、前記表示手段に表示する所定の記号を選択させる選択手段と、
前記選択された所定の記号を前記情報処理装置に通知する通知手段とをさらに備え、
前記制御手段は、前記画像読取装置から通知された所定の記号に対応する読取設定情報の有無を判断し、その結果に応じて前記画像読取装置に指示を行い、
前記表示手段は、前記情報処理装置からの指示に応じて、前記表示している所定の記号および当該所定の記号の表示状態の少なくとも一方を変更することを特徴とする画像読取システム。
【請求項２】
前記制御手段は、前記画像読取装置から通知された所定の記号に読取設定情報を対応させることが不可能であるかまたは前記選択された所定の記号に前記読取設定情報が設定されていない場合は、前記画像読取装置に前記指示を行うことを特徴とする請求項１記載の画像読取システム。
【請求項３】
前記表示手段は、前記所定の記号の表示状態を点滅するように変更することを特徴とする請求項１または２記載の画像読取システム。
【請求項４】
前記表示手段は、前記表示している所定の記号を当該記号とは異なる記号に変更することを特徴とする請求項１または２記載の画像読取システム。
【請求項５】
前記所定の記号は、数字、文字、符号、図形のいずれかであることを特徴とする請求項１乃至４のいずれか１項に記載の画像読取システム。
【請求項６】
前記制御手段は、前記画像読取手段により読み取られた原稿の画像データを前記画像読取装置から受信して保存する保存手段と、
前記保存手段への画像データの保存が成功したか否かを判断する判断手段とをさらに備え、
前記判断手段により前記画像データの保存に失敗したと判断された場合は前記画像読取装置に所定の指示を行うことを特徴とする請求項１乃至５のいずれか１項に記載の画像読取システム。
【請求項７】
前記表示手段は、前記所定の記号に読取設定情報を対応させることが不可能であるかまたは前記選択された所定の記号に前記読取設定情報が設定されていない場合の指示に対する前記所定の記号の表示状態の点滅間隔と、前記判断手段により前記画像データの保存に失敗したと判断された場合の指示に対する前記所定の記号の表示状態の点滅間隔とを異なるようにすることを特徴とする請求項６記載の画像読取システム。
【請求項８】
前記制御手段は、アプリケーション、スキャナドライバ、およびＯＳのいずれかにより構成されていることを特徴とする請求項１乃至７のいずれか１項に記載の画像読取システム。
【請求項９】
前記制御手段は、前記選択された所定の記号に対して前記画像読取装置の読取設定情報の設定を行う設定手段をさらに備えることを特徴とする請求項１乃至８のいずれか１項の記載の画像読取システム。
【請求項１０】
原稿の画像を読み取る画像読取手段と、所定の記号を表示する表示手段とを備える画像読取装置と、前記画像読取装置を制御する制御手段を備える情報処理装置とを含んで構成される画像読取システムの制御方法において、
前記表示手段に表示する所定の記号を選択させる選択工程と、
前記選択された所定の記号を前記画像読取装置から前記情報処理装置に通知する通知工程と、
前記画像読取装置から通知された所定の記号に対応する読取設定情報の有無を判断し、その結果に応じて前記画像読取装置に指示を行う指示工程と、
前記情報処理装置からの指示に応じて、前記表示手段の表示している所定の記号および当該所定の記号の表示状態の少なくとも一方を変更する変更工程とを備えることを特徴とする画像読取システムの制御方法。
【請求項１１】
原稿の画像を読み取る画像読取手段と、所定の記号を表示する表示手段と、情報処理装置に接続する通信手段とを備える画像読取装置において、
前記表示手段に表示する所定の記号を選択させる選択手段と、
前記選択された所定の記号を前記情報処理装置に通知する通知手段と、
前記情報処理装置で前記通知された所定の記号に対応する読取設定情報の有無が判断され、その結果に基づく前記情報処理装置からの指示に応じて、前記表示している所定の記号および当該所定の記号の表示状態の少なくとも一方を変更する変更手段とを備えることを特徴とする画像読取装置。
【発明の詳細な説明】
【技術分野】
【０００１】
本発明は、情報処理装置からの指示に応じて画像読取装置により原稿の画像を読み取る画像読取システムおよびその制御方法、並びに画像読取装置に関する。
【背景技術】
【０００２】
従来の画像読取装置では、画像読み取りの前に、オペレータが、画像読取装置に接続された情報処理装置に導入されたスキャナドライバや画像読み取り用のアプリケーション等を利用して画像読取時の解像度や画像サイズ等の画像読み取り設定を行っていた。
【０００３】
また、画像読取装置には、画像読み取り設定の情報を予めファンクションキーに対応して登録できるものがある。オペレータは、画像読み取り前にファンクションキーを押下するだけで、所望の画像読み取り設定を容易に行うことができる（例えば、特許文献１参照）。
【０００４】
ところで、近年の画像読取装置では、より小型化されたことによる大きさ等の制約や低価格化によるコストの制約から、操作ボタンやキーの数が少なくなり、表示器が小型化され、また簡素化されたりしている。そこで、少ないキーで複数の機能を選択できるように、表示器と選択キーと実行キーとを組み合わせて所望の機能を選択できるようにしたものがある。
【０００５】
一方、画像読取装置に接続されたホストコンピュータ等の情報処理装置には、画像読み取り用のアプリケーションを常駐させているものがある。このような場合、常駐している画像読み取り用のアプリケーションが、画像読取装置側のファンクションキーを監視し、ファンクションキーの押下をオペレータが行うと、指定された処理を実行するようになっている。
【特許文献１】特許第３４２８４３５号公報
【発明の開示】
【発明が解決しようとする課題】
【０００６】
しかしながら、上述した従来の画像読取装置では、大きさやコスト等の制約から、設置できる表示器の表示機能が制限される。その結果、例えば、画像読取装置の表示器が数字表示器である場合、情報処理装置内の記憶装置の容量不足で画像読取装置から転送された読み取り画像データが保存できない等の異常が発生しても適切な表示ができないという問題がある。
【０００７】
また、ファンクションキーの登録機能がある画像読取装置において、予め設定がなされていないファンクションキーをオペレータが選択しても、数字表示器等の簡易な表示手段では、そのファンクションキーが無効である旨を適切に表示させることが難しい。
【０００８】
本発明は、表示手段が簡易なものでも、情報処理装置で発生した異常等の報知や情報処理装置でのファンクション未設定等の報知を画像読取装置で適切に表示することができる画像読取システム及びその制御方法、並びに画像読取装置を提供することを目的とする。
【課題を解決するための手段】
【０００９】
上記目的を達成するために、請求項１記載の画像読取システムは、原稿の画像を読み取る画像読取手段と、所定の記号を表示する表示手段とを備える画像読取装置と、前記画像読取装置を制御する制御手段を備える情報処理装置とを含んで構成される画像読取システムにおいて、前記画像読取装置は、前記表示手段に表示する所定の記号を選択させる選択手段と、前記選択された所定の記号を前記情報処理装置に通知する通知手段とをさらに備え、前記制御手段は、前記画像読取装置から通知された所定の記号に対応する読取設定情報の有無を判断し、その結果に応じて前記画像読取装置に指示を行い、前記表示手段は、前記情報処理装置からの指示に応じて、前記表示している所定の記号および当該所定の記号の表示状態の少なくとも一方を変更することを特徴とする。
【００１０】
上記目的を達成するために、請求項１０記載の画像読取システムの制御方法は、原稿の画像を読み取る画像読取手段と、所定の記号を表示する表示手段とを備える画像読取装置と、前記画像読取装置を制御する制御手段を備える情報処理装置とを含んで構成される画像読取システムの制御方法において、前記表示手段に表示する所定の記号を選択させる選択工程と、前記選択された所定の記号を前記画像読取装置から前記情報処理装置に通知する通知工程と、前記画像読取装置から通知された所定の記号に対応する読取設定情報の有無を判断し、その結果に応じて前記画像読取装置に指示を行う指示工程と、前記情報処理装置からの指示に応じて、前記表示手段の表示している所定の記号および当該所定の記号の表示状態の少なくとも一方を変更する変更工程とを備えることを特徴とする。
【００１１】
上記目的を達成するために、請求項１１記載の画像読取装置は、原稿の画像を読み取る画像読取手段と、所定の記号を表示する表示手段と、情報処理装置に接続する通信手段とを備える画像読取装置において、前記表示手段に表示する所定の記号を選択させる選択手段と、前記選択された所定の記号を前記情報処理装置に通知する通知手段と、前記情報処理装置で前記通知された所定の記号に対応する読取設定情報の有無が判断され、その結果に基づく前記情報処理装置からの指示に応じて、前記表示している所定の記号および当該所定の記号の表示状態の少なくとも一方を変更する変更手段とを備えることを特徴とする。
【発明の効果】
【００１２】
本発明によれば、画像読取装置の表示手段が簡易なものであっても、情報処理装置内で発生した異常等の報知や情報処理装置でのファンクション未設定等の報知を画像読取装置側で適切に表示することができる。
【発明を実施するための最良の形態】
【００１３】
以下、本発明の実施の形態を図面を参照して詳細に説明する。
【００１４】
図１は、本発明の実施形態に係る画像読取装置の外観を示す斜視図である。
【００１５】
図１において、画像読取装置２００は、複数枚の原稿４０１を載置可能な原稿台４０２と、排紙された原稿４０１が載置される排紙台４０３と、ジョブを選択するための操作パネル４０４と、原稿４０１の載置位置を規制する原稿規制板４０５とで構成される。画像読取装置２００は、後述するホストコンピュータ２１４に周知の通信方法であるＳＣＳＩやＵＳＢを介して接続されている。
【００１６】
ホストコンピュータ２１４には、画像読取装置２００を制御するためのスキャナドライバや画像キャプチャアプリケーションがインストールされており、これらにより画像読取装置２００に画像を読み取らせることが可能となっている。
【００１７】
図２は、図１の画像読取装置２００の概略断面図である。
【００１８】
図２において、画像読取装置２００は、給紙ローラ５０３に追従して回転すると共に、原稿が重送されたとき逆回転して分離する分離ローラ５０２と、搬送路上の原稿４０１の有無を検知する給紙センサ５０４とを備える。また、原稿４０１の通過有無を検知するレジストセンサ５０６を備える。また、画像読取装置２００は、原稿４０１の表面の画像を読み取る表面画像読取センサ５０７と、原稿４０１の裏面の画像を読み取る裏面画像読取センサ５０８と、排紙ローラ５１０に追従して回転する排紙従動ローラ５１２とを備える。また、画像読取装置２００は、給紙ローラ５０３および排紙ローラ５１０を駆動するメインモータ５０９と、排紙される原稿４０１を検知する排紙センサ５１１を備える。
【００１９】
図３は、画像読取装置２００の内部構成を示すブロック図である。
【００２０】
図３において、画像読取装置２００は、原稿４０１の表面の画像を読み取る表面画像読取センサ５０７と、原稿４０１の裏面の画像を読み取る裏面画像読取センサ５０８とを備える。また、画像読取装置２００は、読み取った画像データに対して色調補正などの所定の画像処理を行う画像処理部２０３と、画像処理された画像データを記憶する画像メモリ２０４とを備える。
【００２１】
さらに、画像読取装置２００は、原稿４０１を搬送するためにメインモータを駆動するモータ駆動制御部２０５と、給紙センサ５０４、レジストセンサ５０６、および排紙センサ５１１を制御する原稿検知センサ制御部２０６とを備える。また、画像読取装置２００は本装置を制御するＣＰＵ２０８を備える。また、画像読取装置２００は、ＣＰＵ２０８が実行する各種制御プログラムを保持するフラッシュメモリ２０７と、モータ駆動制御部２０５などを制御するためのタイミング信号を発生するタイマ２０９と、画像データを送信するＵＳＢ制御部２１０とを備える。また、画像読取装置２００は、操作パネル４０４上に配置された７セグメントＬＥＤから成る表示器を制御するＬＥＤ制御部２１２と、ＬＥＤに表示される所定の記号を選ぶための選択ボタンを制御するスイッチ制御部２１３とを備える。本実施の形態で用いている７セグメントＬＥＤよりも高精細な表示器を用いた場合、所定の記号は、数字、文字、符号、図形のいずれでもよい。本実施の形態では、一例として、複数のジョブを識別するために各ジョブに対して割り当てられるジョブ番号を所定の記号とする。
【００２２】
ホストコンピュータ２１４は、画像読取装置２００とＵＳＢインターフェースで接続されており、マウス／キーボード２２１やディスプレイ２２０が接続されている。
【００２３】
図４は、画像読取装置２００上の操作パネル４０４の外観を示す図である。
【００２４】
図４において、操作パネル４０４は、ジョブ番号を表示する７セグメントＬＥＤ１８０３と、ジョブ番号を選ぶための選択ボタン１８０１，１８０２と、原稿４０１の画像読み取りを開始させるためのスタートボタン１８０４とを備える。また、操作パネル４０４は、画像読み取りを停止させるためのストップボタン１８０５を備える。
【００２５】
選択ボタン１８０１が押下されるたびに、７セグメントＬＥＤ１８０３の表示は、１，２，３，・・・とカウントアップし、また選択ボタン１８０２が押下されるたびに、９，８，７，・・・と表示がカウントダウンする。
【００２６】
図５は、ホストコンピュータ２１４の内部構成を示すブロック図である。
【００２７】
図示の各プログラムは、ホストコンピュータ２１４の不図示のハードディスクにインストールされており、オペレータの操作或いは、他のプログラムからの呼び出しによって不図示のＲＡＭに読み込まれて実行される。ホストコンピュータ２１４に電源を入れると、最初にＯＳ（オペレーティングシステム）６３１が起動する。
【００２８】
ジョブモニタ６３２は、ＯＳ６３１の起動時に呼び出されて不図示のＲＡＭ上に常駐し、所定時間ごとに、スキャナドライバ６３４を経由して画像読取装置２００からの回答を確認するプログラムである。ジョブモニタ６３２は、操作パネル４０４上のスタートボタン１８０４が押されているか否かをポーリング等により監視している。操作パネル４０４上のスタートボタン１８０４が押されたとき、ジョブモニタ６３２からジョブ設定アプリケーション６３３が起動され、スキャナドライバ６３４を経由して画像読取装置２００から画像を取得することができる。
【００２９】
一方、汎用アプリケーション６３５は、オペレータの操作により、後述するジョブ設定アプリケーション６３３による設定等の期間以外は、いつでも起動することができ、スキャナドライバ６３４を経由して画像読取装置２００から画像を取得することができる。
【００３０】
図６は、ホストコンピュータ２１４におけるジョブ設定処理の一例を示す図である。
【００３１】
画像読取装置２００上の操作パネル４０４の７セグメントＬＥＤ１８０３に表示されて選択することが可能なジョブ番号に対応する原稿の読取パラメータ等を予めオペレータは設定しておく。そのため、オペレータがホストコンピュータ２１４を操作してジョブ設定アプリケーション６３３を起動すると、図７（ａ）に示すようなジョブ設定ダイアログ１９００がディスプレイ２２０に表示される（ステップＳ２０１）。
【００３２】
ジョブ設定ダイアログ１９００には、複数のジョブ番号と、当該ジョブ番号に対応するタイトルが表示される。ホストコンピュータ２１４は、ジョブ設定ダイアログ１９００上に未設定のジョブ番号があるか否か、すなわち設定可能なジョブ番号があるか否かを判定する。そして、設定可能なジョブ番号がない場合は、ジョブ設定ダイアログ１９００を閉じて（ステップＳ２０７）、待機状態に戻る。
【００３３】
一方、ステップＳ２０２において、未設定のジョブ番号が存在する場合は、ジョブ番号が選択されたか否かを判断する（ステップＳ２０３）。図７（ｂ）に示すように、オペレータによりマウス／キーボード２２１でジョブ設定ダイアログ１９００上のジョブ番号の１番１９００ａの項目が指定されると、ジョブ番号が選択されたと判断する（ステップＳ２０３でＹＥＳ）。すると、その選択の際のマウスのクリック操作或いはキーボードのＥｎｔｅｒキー押下等で、図８（ａ）に示すような各ジョブ番号用の読取パラメータ設定ダイアログ１９０１をディスプレイ２２０に表示する（ステップＳ２０４）。
【００３４】
オペレータは、選択したジョブ番号１番に対して、タイトル１９０１ａと、画像読取を行うときに必要な読取パラメータ等の読取設定情報１９０１ｂと、読取画像に付加する保存ファイル名１９０１ｃ等の設定情報を入力する。そして、図８（ｂ）のように設定保存ボタン１９０１ｄをマウス等で押下する。
【００３５】
ホストコンピュータ２１４は、設定保存ボタン１９０１ｄが押下されると、ホストコンピュータ２１４内の不図示の不揮発メモリやＨＤＤ等に設定された情報を保存し（ステップＳ２０５）、図７（ｃ）のようにジョブ番号１番１９００ｂの項目に反映する。
【００３６】
複数のジョブ番号に対して設定を行う場合、例えば、オペレータは、ジョブ番号１番の設定が終わると、次に、ジョブ番号２番の項目を選択する。そして、図８（ａ）のような各ジョブ番号用の読取パラメータ設定ダイアログ１９０１を開き、同様な設定を行い、ジョブ番号９番の設定が終わるまで繰り返すことにより全てのジョブ番号に対する設定が行える。
【００３７】
オペレータが閉じるボタンを押下し、ジョブ番号に対応する設定の終了が選択されると（ステップＳ２０６でＹＥＳ）、ホストコンピュータ２１４は、ジョブ設定ダイアログ１９００を閉じて（ステップＳ２０７）、待機状態に戻る。
【００３８】
なお、オペレータは、全てのジョブ番号に対応した設定を行う必要はなく、必要なジョブ番号に対応した設定のみ行えばよい。また、例えば、設定可能なジョブ番号を１から５までとし、６から９と０は設定不可とすることも可能である。また、設定は不可能で購入時にプリセットされていてもよい。
【００３９】
次に、画像読取装置２００とホストコンピュータ２１４における原稿４０１の画像読み取り処理を図９、図１０を参照して説明する。なお、以下に説明する処理は、本発明の一実施形態として操作パネル４０４による画像読取開始／停止の操作を有効設定とした場合の処理を示すものであり、本発明は、本実施形態の制御方法に限定されるものではない。また、図９の処理は、フラッシュメモリ２０７に格納されたプログラムがＣＰＵ２０８により読み出されて実行されるものである。
【００４０】
図９は、画像読取装置２００における画像読取処理を示すフローチャートである。
【００４１】
図９において、画像読取装置２００は、操作パネル４０４上のスタートボタン１８０４が押下されたと判断すると（ステップＳ１０１でＹＥＳ）、スタートボタン１８０４が押下されたことを表すステータスを保存する。そして、画像読取装置２００は、ホストコンピュータ２１４からのステータス送信要求に応じて、読取開始要求としてのステータスおよび現在選択されているジョブ番号を通知する（ステップＳ１０２）。
【００４２】
次に、ホストコンピュータ２１４から、ジョブ番号に対応した設定が存在しないことを表すジョブ番号を点滅させる指示があるか否かを判断する（ステップＳ１０３）。ジョブ番号の点滅指示を受け取ったときは、画像読取装置２００が、操作パネル４０４上の７セグメントＬＥＤ１８０３に表示されているジョブ番号を点滅させる（ステップＳ１１６）。このように、画像読取装置２００は、表示器である７セグメントＬＥＤ１８０３に表示されたジョブ番号の表示を点滅に変更することにより、ホストコンピュータ２１４内で発生した異常等を画像読取装置側で操作するオペレータに伝えることが可能となる。その結果、オペレータが操作にまごついたり、不安になったりすることなく、読み取り作業の効率を向上させることが可能になる。
【００４３】
一方、ステップＳ１０３で、ジョブ番号の点滅指示を受け取っていないときは、画像読取装置２００は、ホストコンピュータ２１４からの読取設定情報と画像読取開始指示をＵＳＢ制御部２１０を介して受信したか否かを判断する（ステップＳ１０４）。この結果、読取開始指示を受信したときは（ステップＳ１０４でＹＥＳ）、画像読取装置２００は、給紙センサ５０４により原稿４０１を検知したか否かを判断する（ステップＳ１０５）。
【００４４】
画像読取装置２００は、給紙センサ５０４により原稿４０１を検知しなかったときは（ステップＳ１０５でＮＯ）、本処理を終了する。一方、原稿４０１を検知したときは、画像読取装置２００は、操作パネル４０４上のストップボタン１８０５が押下されたか否かを判断する（ステップＳ１０６）。ストップボタン１８０５が押下されなかったときは（ステップＳ１０６でＮＯ）、画像読取装置２００は、メインモータ５０９を駆動して原稿４０１の給紙を開始する（ステップＳ１０７）。原稿台４０２に載置された原稿４０１は、周知の原稿分離機構により１枚ずつ分離され、装置内に給紙される。
【００４５】
次に、装置内に給紙された原稿４０１の先端がレジストセンサ５０６を通過すると（ステップＳ１０８でＹＥＳ）、その一定時間後に表面画像読取センサ５０７および裏面画像読取センサ５０８による原稿４０１の画像読取を開始する（ステップＳ１０９）。
【００４６】
次に、画像読み取りが開始された後、原稿４０１の後端がレジストセンサ５０６を通過すると（ステップＳ１１０でＹＥＳ）、その一定時間後に表面画像読取センサ５０７および裏面画像読取センサ５０８による原稿の読み取りを終了する（ステップＳ１１１）。読み取られた原稿４０１の画像は、画像データとしてＵＳＢ制御部２１０を介してホストコンピュータ２１４に転送される（ステップＳ１１２）。
【００４７】
次に、原稿４０１が排紙センサ５１１を通過し終わったときは（ステップＳ１１３でＹＥＳ）、画像読取装置２００は、原稿４０１が排紙台４０３に排紙され終わったと推定されるまで搬送を続けた後、搬送を停止する（ステップＳ１１４）。このとき、ホストコンピュータ２１４からジョブ番号の点滅指示がなされていたときは（ステップＳ１１５でＹＥＳ）、画像読取装置２００は、操作パネル４０４上の７セグメントＬＥＤ１８０３に表示されているジョブ番号を点滅させる（ステップＳ１１６）。
【００４８】
原稿台４０２に載置された複数枚の原稿４０１を全て読み取り終え、給紙センサ５０４により原稿４０１を検知しなくなったときは（ステップＳ１０５でＮＯ）、本処理を終了する。画像読取装置２００は、メインモータ５０９を停止した後、次の原稿が無い旨をホストコンピュータ２１４に通知する。これにより、ホストコンピュータ２１４は並行して実行していた後述する処理を終了する。
【００４９】
一方、画像読取装置２００が原稿４０１を搬送中に、ストップボタン１８０５が押下されたことを検知したときは（ステップＳ１０６でＹＥＳ）、ストップボタンが押下された旨をホストコンピュータ２１４に通知して、本処理を終了する。このときも、ホストコンピュータ２１４は後述する処理を終了する。
【００５０】
図１０は、ホストコンピュータ２１４における画像読取装置の制御処理を示すフローチャートである。
【００５１】
ホストコンピュータは、通常の動作状態にある場合、画像読取装置上のスタートボタンが押下されたこと等を表すステータスと、７セグメントＬＥＤに表示されているジョブ番号の送信を略定期的に画像読取装置に要求する（ステップＳ３０１）。そして、ジョブ番号を取得する（ステップＳ３０２でＹＥＳ）。
【００５２】
次に、ホストコンピュータ２１４は、取得したジョブ番号に対応する読取設定情報が保存されているか否かを判断する（ステップＳ３０３）。読取設定情報が保存されていると判断した場合、ホストコンピュータ２１４は、不図示の不揮発メモリ等から読取設定情報を読み出す（ステップＳ３０４）。
【００５３】
次に、ホストコンピュータ２１４は、読み出した読取設定情報をＵＳＢ制御部２１０を介して画像読取装置２００に送信し（ステップＳ３０５）、画像読み取り開始を指示する（ステップＳ３０６）。
【００５４】
次に、ホストコンピュータ２１４は、画像読取装置２００から受信した画像データを、上述したジョブ設定処理により保存された読取設定情報から、ジョブ番号に対応させて決定したファイル名で保存する（ステップＳ３０７）。つづいて、ホストコンピュータ２１４は、画像データの保存が成功したか否かを判断する（ステップＳ３０８）。ホストコンピュータ２１４内のＨＤＤの容量不足等で画像データ保存が失敗した場合、ホストコンピュータ２１４は操作パネル４０４上の７セグメントＬＥＤ１８０３に表示されているジョブ番号を点滅するよう画像読取装置２００に指示する（ステップＳ３０９）。
【００５５】
また、ステップＳ３０３で読取設定情報が保存されていないと判断した場合は、ホストコンピュータ２１４は、画像読取装置２００上の操作パネル４０４の７セグメントＬＥＤ１８０３に表示されているジョブ番号を点滅させるよう指示する（ステップＳ３０９）。
【００５６】
上記実施の形態によれば、ホストコンピュータ内で発生した問題であっても、また、未設定のファンクションの選択等の操作ミスのときも、７セグメントＬＥＤに表示されているジョブ番号を点滅させる等の動作により、オペレータにすぐに異常を知らせる。そのため、オペレータが操作にまごついたり不安になることなく、読み取り作業の効率を向上させることが可能になる。
【００５７】
上記実施の形態では、画像読取装置２００上の操作パネル４０４の７セグメントＬＥＤ１８０３に表示されているジョブ番号の表示を点滅させているが、これに限定されず、表示の明るさを変えたり、表示の色を変えるなどの表示状態を変更してもよい。また、ジョブ番号に限らず、表示する数字や文字、符号や図形等の記号を別の記号に置き換えたり、表示する数字等の記号を数秒おきに変化させたりしてもよい。また、表示する文字や符号や図形等の記号を点滅してもよい。
【００５８】
また、上記実施の形態では、画像読取装置２００の表示手段として７セグメントＬＥＤ１８０３で構成された１桁の数字表示器について説明したが、これに限らず、複数桁の数字や文字や符号や図形等の表示器でもよい。また、ジョブ番号を９個まで記憶できるよう説明したが、９個よりも少なくてもよく、また９個よりも多くてもよい。
【００５９】
また、上記実施の形態では、ホストコンピュータ２１４内のメモリにジョブ内容を保存したが画像読取装置２００内のメモリに保存してもよい。
【００６０】
また、上記実施の形態では、ホストコンピュータ２１４との画像転送等のインターフェースにＵＳＢを用いたが、ＳＣＳＩやＦｉｒｅＷｉｒｅ等を用いてもよい。また、無線やネットワークを介してホストコンピュータとの画像転送等を行う画像読取装置にも、本発明を適用してもよい。
【００６１】
また、上記実施の形態では、シート状の原稿を搬送させて画像読み取りを行うシートフィード方式の画像読取装置について説明したが、原稿台に原稿を置いて画像読み取りを行うフラットベッド方式の画像読取装置にも、本発明を適用してもよい。
【００６２】
また、上記実施の形態では、ホストコンピュータ２１４で発生した異常をユーザに知らせる方法として、操作パネル４０４の７セグメントＬＥＤ１８０３に表示されていたジョブ番号を点滅表示する形態について説明した。しかしながら、これに限定されず、選択され表示されていたジョブ番号以外の数字や文字や符号や図形等の記号を表示させるとともに点滅させてもよく、エラーコードを点滅表示してもよい。
【００６３】
また、画像読取装置２００内で異常（例えば、紙詰まりやカバーオープン等）が発止した場合でも、表示されていたジョブ番号或いはエラーコードを点滅表示させてもよい。
【００６４】
また、ジョブ番号に対応する設定が無いときの点滅表示と、ホストコンピュータ２１４内で発生した問題のときの点滅表示は、それぞれ点滅間隔が異なってもよい。
【００６５】
上記実施の形態では、図６および図１０に示した処理が、ホストコンピュータ２１４内のジョブ設定アプリケーション６３３により実行されていたが、これに限らず、スキャナドライバ６３４およびＯＳ６３１のいずれかにより行われてもよい。
【００６６】
本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコードおよび該プログラムコードを記憶した記憶媒体は本発明を構成することになる。
【００６７】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６８】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００６９】
さらに、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００７０】
【図１】本発明の実施形態に係る画像読取装置の外観を示す斜視図である。
【図２】図１の画像読取装置２００の概略断面図である。
【図３】画像読取装置２００の内部構成を示すブロック図である。
【図４】画像読取装置２００上の操作パネル４０４の外観を示す図である。
【図５】ホストコンピュータ２１４の内部構成を示すブロック図である。
【図６】ホストコンピュータ２１４におけるジョブ設定処理の一例を示す図である。
【図７】ジョブ設定処理時に表示されるジョブ設定ダイアログの一例を示す図である。
【図８】ジョブ設定処理時に表示される読取パラメータ設定ダイアログの一例を示す図である。
【図９】画像読取装置２００における画像読取処理を示すフローチャートである。
【図１０】ホストコンピュータ２１４における画像読取装置の制御処理を示すフローチャートである。
【符号の説明】
【００７１】
２００  画像読取装置
２０８  ＣＰＵ
２１０  ＵＳＢ制御部
２１４  ホストコンピュータ
４０４  操作パネル
６３３  ジョブ設定アプリケーション
６３４  スキャナドライバ
１８０３  ７セグメントＬＥＤ
１９００  ジョブ設定ダイアログ
１９０１  読取パラメータ設定ダイアログ
【図１】
2009290714.tif 000003
【図２】
2009290714.tif 000004
【図３】
2009290714.tif 000005
【図４】
2009290714.tif 000006
【図５】
2009290714.tif 000007
【図６】
2009290714.tif 000008
【図７】
2009290714.tif 000009
【図８】
2009290714.tif 000010
【図９】
2009290714.tif 000011
【図１０】
2009290714.tif 000012